(57)【要約】【課題】  装着完了時には進入規制部材でカートリッジに余分な負荷を与えない画像形成装置を提供する。【解決手段】  画像形成装置は、カートリッジガイドと、カートリッジ側識別部と作用し、初期位置から通過可能位置に移動し、第１のカートリッジを進入可能とする本体側識別部と、退避位置と規制位置とを取り得る進入規制部材と、進入規制部材を退避位置から規制位置へ付勢する付勢手段と、を備える。第１のカートリッジの挿入により、本体側識別部を初期位置から通過可能位置に移動させ、第１のカートリッジが進入可能とするとともに、付勢手段の付勢力に抗して本体側識別部の移動と連動して進入規制部材を規制位置から退避位置に移動させ、第１のカートリッジをさらに進入可能とするものであって、第１のカートリッジが装着位置に位置する時には、本体側識別部は初期位置に、また進入規制部材は規制位置に、位置する。【選択図】  図１
2017173421.tif 000002
【特許請求の範囲】
【請求項１】
カートリッジ側識別部を有する第１のカートリッジを装着位置に着脱可能とした画像形成装置において、
前記第１のカートリッジをガイドするカートリッジガイドと、
前記第１のカートリッジの挿入により前記カートリッジ側識別部と作用し、初期位置から通過可能位置に移動し、前記第１のカートリッジを進入可能とする本体側識別部と、
前記第１のカートリッジが前記カートリッジガイドに沿って進入することを許容する退避位置と、前記カートリッジ側識別部を有さない第２のカートリッジが前記カートリッジガイドに沿って進入することを阻止する規制位置と、を取り得る進入規制部材と、
前記進入規制部材を前記退避位置から前記規制位置へ付勢する付勢手段と、
を備え、
前記第１のカートリッジが挿入されることにより、前記本体側識別部を前記初期位置から前記通過可能位置に移動させ、前記第１のカートリッジが進入可能とするとともに、さらに前記付勢手段の付勢力に抗して前記本体側識別部の移動と連動して前記進入規制部材を前記規制位置から前記退避位置に移動させ、前記第１のカートリッジをさらに進入可能として、前記第１のカートリッジを装着位置に装着可能とするものであって、
前記第１のカートリッジが装着位置に位置する時には、前記本体側識別部は前記初期位置に、また前記進入規制部材は前記規制位置に、位置する
ことを特徴とする画像形成装置。
【請求項２】
前記カートリッジ側識別部として、前記第１のカートリッジは第１のボスと第２のボスを有し、
前記本体側識別部として、前記第１のボスと係合可能な第１の挿入ガイド部と、前記第２のボスと係合可能な第２の挿入ガイド部と、を備えた可動台を有することを特徴とする請求項１に記載の画像形成装置。
【請求項３】
前記第１のカートリッジが前記画像形成装置に挿入されることにより、
前記可動台は、前記第１の挿入ガイド部が前記第１のボスと係合し、前記初期位置から前記通過可能位置に移動させられ、前記第２の挿入ガイド部が前記第２のボスと係合可能し、前記第１のカートリッジを進入可能とするとともに、
前記可動台を前記通過可能位置に位置させることにより、前記可動台に連動する前記進入規制部材を前記退避位置に位置させた状態とし、前記第１のカートリッジをさらに進入可能として、前記第１のカートリッジを装着位置に装着可能とするものであって、
前記第２のボスは、前記第２の挿入ガイド部と前記進入規制部材の両方に係合可能な長さを有することを特徴とする請求項２に記載の画像形成装置。
【請求項４】
前記第２のボスは、前記第２の挿入ガイド部に係合する部分と、前記進入規制部材に係合する部分と、を備え、前記第１のカートリッジの挿入途中において、前記第２のボスが前記第２の挿入ガイド部と前記進入規制部材に係合することを特徴とする請求項３に記載の画像形成装置。
【発明の詳細な説明】
【技術分野】
【０００１】
本発明は、カートリッジを用いた電子写真画像形成装置に関するものである。
【０００２】
ここで電子写真画像形成装置（以下、画像形成装置）とは、電子写真画像形成プロセスを用いて記録材（記録媒体）に画像を形成するものである。画像形成装置の例としてはプリンタ（レーザビームプリンタ、ＬＥＤプリンタ等）、複写機、ファクシミリ装置、ワードプロセッサ、およびこれらの複合機（マルチファンクションプリンタ）などが含まれる。
【０００３】
ここで現像装置とは、電子写真感光体ドラム上に形成された静電潜像を現像剤によって現像するための装置であり、現像手段とそれを支持する現像枠体、及び現像手段に関わる部品等によって構成されている。そして、現像手段の例としては、現像ローラや塗布ローラ、現像ブレード等が挙げられる。
【０００４】
ここでプロセスカートリッジとは、電子写真感光体ドラムと、このドラムに作用するプロセス手段を全てもしくは一部を一体的にカートリッジ化して電子写真画像形成装置本体に対して着脱可能なものである。プロセス手段の例としては、電子写真感光体ドラムに作用する帯電手段、現像手段及びクリーニング手段等が挙げられる。
【背景技術】
【０００５】
電子写真画像形成方式（電子写真プロセス）を用いたプリンタ等の画像形成装置が広く実用されている。このような画像形成装置では、以下のようにして画像形成が行われる。
【０００６】
まず初めに、像担持体としての電子写真感光体（以下、感光体）を一様に帯電させる。次いで、帯電した感光体を選択的に露光させ、感光体上に静電像を形成し、静電像を現像剤（トナー）でトナー像として顕像化する。そして、感光体上に形成されたトナー像を、記録用紙、プラスチックシート等の記録材に転写させ、記録材上に転写されたトナー像に熱や圧力を加えることでトナー像を記録材に定着させることで画像記録を行う。
【０００７】
このような画像形成装置は、一般に、各種のプロセス手段のメンテナンスを必要とする。プロセス手段のメンテナンスを容易にするために、感光体、帯電手段、現像手段、クリーニング手段等を枠体内にまとめてカートリッジ化し、画像形成装置本体に着脱可能なプロセスカートリッジとすることが実用化されている。このプロセスカートリッジ方式によれば、ユーザビリティーに優れた画像形成装置を提供することができる。
【０００８】
しかし、このようなプロセスカートリッジ方式の電子写真画像形成装置においては、機能の一致するカートリッジ（以下、適合するカートリッジ）のみでなく機能の一致しないカートリッジ（以下、適合しないカートリッジ）も装着されてしまう場合がある。そこで特許文献１では、画像形成装置本体に可動台、プロセスカートリッジには第１・第２のボスを有する構成が提案されている。この構成では、適合するプロセスカートリッジが挿入された場合のみ、第１・第２のボスによって可動台を移動させることでプロセスカートリッジが挿入可能とし、適合しないプロセスカートリッジが誤挿入されることを防止する方法が考案されている。さらには第１又は第２のボスの少なくともどちらか一方が破損等により失われた場合においても、適合しないプロセスカートリッジが画像形成装置本体に挿入されることを防止する必要がある。そこで、可動台と連動して動くストッパー部材（進入規制部材）が設けられており、可動台を移動させることでストッパー部材が開き、適合するカートリッジが挿入可能となるようにされている。
【先行技術文献】
【特許文献】
【０００９】
【特許文献１】特開２０１４‐０６６７９４号公報
【発明の概要】
【発明が解決しようとする課題】
【００１０】
本発明は前述した従来の構成をさらに発展させたものである。
【００１１】
従来の構成では、可動台と連動して動くストッパー部材（進入規制部材）は、付勢部材で付勢された可動台を移動させることでストッパー部材を開き、適合するカートリッジが挿入可能としていた。そして、プロセスカートリッジ装着完了後もストッパー部材は、プロセスカートリッジに当接し、開いた状態を保持していた。
【００１２】
このように上述の構成では、付勢部材で付勢された可動台に連動するストッパー部材は、付勢部材の付勢力で閉じようとするストッパー部材が常にプロセスカートリッジに付勢された状態となり、プロセスカートリッジを変形させてしまう可能性がある。
【００１３】
そこで本発明は、装着完了時には進入規制部材でカートリッジに余分な負荷を与えない画像形成装置を提供することを目的とするものである。
【課題を解決するための手段】
【００１４】
上記目的を達成するため、本発明に係るカートリッジ側識別部を有する第１のカートリッジを装着位置に着脱可能とした画像形成装置は、第１のカートリッジをガイドするカートリッジガイドと、第１のカートリッジの挿入によりカートリッジ側識別部と作用し、初期位置から通過可能位置に移動し、第１のカートリッジを進入可能とする本体側識別部と、第１のカートリッジがカートリッジガイドに沿って進入することを許容する退避位置と、カートリッジ側識別部を有さない第２のカートリッジがカートリッジガイドに沿って進入することを阻止する規制位置と、を取り得る進入規制部材と、進入規制部材を退避位置から規制位置へ付勢する付勢手段と、を備える。そして、第１のカートリッジが挿入されることにより、本体側識別部を初期位置から通過可能位置に移動させ、第１のカートリッジが進入可能とするとともに、さらに付勢手段の付勢力に抗して本体側識別部の移動と連動して進入規制部材を規制位置から退避位置に移動させ、第１のカートリッジをさらに進入可能として、第１のカートリッジを装着位置に装着可能とするものであって、第１のカートリッジが装着位置に位置する時には、本体側識別部は初期位置に、また進入規制部材は規制位置に、位置することを特徴とする。
【発明の効果】
【００１５】
以上説明したように、本発明によれば、進入規制部材の付勢力がカートリッジに加わることを防止することで、カートリッジの変形を抑制し、変形に伴う画像弊害を防止することが可能となる。
【図面の簡単な説明】
【００１６】
【図１】本発明の実施例に係る画像形成装置に適合するカートリッジ（現像カートリッジ）を挿入した時の動作説明図である。
【図２】本発明の実施例に係る電子写真画像形成装置の概略断面図である。
【図３】本発明の実施例に係るドラムカートリッジの説明図である。
【図４】本発明の実施例に係るドラムカートリッジの断面図である。
【図５】本発明の実施例に係る現像カートリッジの断面図である。
【図６】本発明の実施例に係るドラムカートリッジ及び現像カートリッジを画像形成装置に装着する構成図である。
【図７】本発明の実施例に係る現像カートリッジを画像形成装置に着脱する様子を示す説明図である。
【図８】本発明の実施例の変形例に係る画像形成装置に適合するカートリッジ（現像カートリッジ）の説明図である。
【発明を実施するための形態】
【００１７】
［実施例１］
［画像形成装置の全体的な概略構成］
（画像形成装置の全体構成）
まず電子写真画像形成装置（以下、画像形成装置）１００の全体構成について、図２を用いて説明する。図２に示すように、着脱可能な４個の感光ドラム担持体カートリッジ（以下、ドラムカートリッジ）９（９Ｙ，９Ｍ，９Ｃ，９Ｋ）と４個の現像装置（以下、現像カートリッジ）４（４Ｙ，４Ｍ，４Ｃ，４Ｋ）が装着位置に装着されている。またドラムカートリッジ９及び現像カートリッジ４の画像形成装置１００の装着方向上流側を前側面側、装着方向下流側を奥側面側と定義する。図２において、ドラムカートリッジ９及び現像カートリッジ４は、装置本体１００内に水平方向に対して傾斜して併設されている。
【００１８】
各ドラムカートリッジ９には、電子写真感光体ドラム（以下、感光体ドラム）１（１ａ，１ｂ，１ｃ，１ｄ）と、帯電ローラ２（２ａ，２ｂ，２ｃ，２ｄ）やクリーニング部材６（６ａ，６ｂ，６ｃ，６ｄ）等のプロセス手段が一体的に配置されている。
【００１９】
帯電ローラ２は、感光体ドラム１の表面を一様に帯電させるものであり、現像ローラ２５は、感光体ドラム１に形成した潜像を現像剤（以下、トナー）によって現像して可視像化するものである。そして、クリーニング部材６は、感光体ドラム１に形成したトナー像を記録媒体Ｓに転写した後に、感光体ドラム１に残留したトナーを除去するものである。
【００２０】
また、各現像カートリッジ（４Ｙ，４Ｍ，４Ｃ，４Ｋ）には、現像ローラ２５（２５ａ，２５ｂ，２５ｃ，２５ｄ）と現像ブレード３５（３５ａ，３５ｂ，３５ｃ，３５ｄ）等のプロセス手段が一体的に配置されている。
【００２１】
ドラムカートリッジ９及び現像カートリッジ４の下方には、画像情報に基づいて感光体ドラム１に選択的な露光を行い、感光体ドラム１に潜像を形成するためのスキャナユニット３が設けられている。
【００２２】
画像形成装置１００の下部には、記録媒体Ｓを収納したカセット１７が装着されている。そして、記録媒体Ｓが２次転写ローラ６９、定着部７４を通過して画像形成装置１００の上方へ搬送されるように記録媒体搬送手段が設けられている。すなわち、カセット１７内の記録媒体Ｓを１枚ずつ分離給送する給送ローラ５４、給送された記録媒体Ｓを搬送する搬送ローラ対７６、感光体ドラム１に形成される潜像と記録媒体Ｓとの同期を取るためのレジストローラ対５５が設けられている。また、ドラムカートリッジ９及び現像カートリッジ４の上方には、各感光体ドラム１（１ａ、１ｂ、１ｃ、１ｄ）上に形成したトナー画像を転写させるための中間転写手段としての中間転写ユニット５が設けられている。中間転写ユニット５には、駆動ローラ５６、従動ローラ５７、各色の感光体ドラム１に対向する位置に１次転写ローラ５８（５８ａ、５８ｂ、５８ｃ、５８ｄ）、２次転写ローラ６９に対向する位置に対向ローラ５９を有し、転写ベルト１４が掛け渡されている。そして、転写ベルト１４は、すべての感光体ドラム１に対向し、且つ接するように矢印Ａの方向に循環移動し、１次転写ローラ５８（５８ａ、５８ｂ、５８ｃ、５８ｄ）に電圧を印加することにより、感光体ドラム１から転写ベルト１４上に一次転写を行う。そして、転写ベルト１４内に配置された対向ローラ５９と２次転写ローラ６９への電圧印加により、転写ベルト１４のトナーを記録媒体Ｓに転写する。
【００２３】
画像形成に際しては、各感光体ドラム１を回転させ、帯電ローラ２によって一様に帯電させた感光体ドラム１にスキャナユニット３から選択的な露光を行う。これによって、感光体ドラム１に静電潜像を形成する。その潜像を現像ローラ２５に担持されたトナーで現像する。これによって、各感光体ドラム１に各色トナー像を形成する。この画像形成と同期して、レジストローラ対５５が、記録媒体Ｓを対向ローラ５９と２次転写ローラ６９とが転写ベルト１４を介在させて当接している２次転写位置に搬送する。そして、２次転写ローラ６９へ転写バイアス電圧を印加することで、転写ベルト１４上の各色トナー像を記録媒体Ｓに２次転写する。これによって、記録媒体Ｓにカラー画像を形成する。カラー画像が形成された記録媒体Ｓは、定着部７４によって加熱、加圧されてトナー像が定着される。その後、記録媒体Ｓは、排出ローラ７２によって排出部７５に排出される。尚、定着部７４は、画像形成装置１００の上部に配置されている。
【００２４】
（ドラムカートリッジ）
次に本発明を実施したドラムカートリッジ９について、図３、図４を用いて説明する。図３はドラムカートリッジ９（９Ｙ，９Ｍ，９Ｃ，９Ｋ）の構成説明図である。尚、９Ｙ，９Ｍ，９Ｃ，９Ｋは同一構成である。本実施例では、後述するドラムカートリッジ９及び現像カートリッジ４の挿入方向において、挿入方向上流側を手前側、下流側を奥側と定義する。
【００２５】
ドラムカートリッジ９（９Ｙ，９Ｍ，９Ｃ，９Ｋ）のクリーニング枠体２７には、感光体ドラム１がドラム前軸受１０とドラム奥軸受１１を介して回転自在に設けられている。感光体ドラム１の軸線方向一端側にはドラムカップリング１６とフランジが設けられている。
【００２６】
図４はドラムカートリッジ９の断面図である。感光体ドラム１の周囲には、前述した通り帯電ローラ２、クリーニング部材６が設けられている。クリーニング部材６は、ゴムブレード（弾性部材）７とクリーニング支持部材８から構成されている。ゴムブレード７の先端部７ａは感光体ドラム１の回転方向に対してカウンター方向に当接させて配設してある。そしてクリーニング部材６によって感光体ドラム１表面から除去された残留トナーは除去トナー室２７ａに落下する。また除去トナー室２７ａの除去トナーが漏れることを防止するスクイシート２１が感光体ドラム１に当接している。そしてドラムカートリッジ９に駆動源である本体駆動モータ（不図示）の駆動力を伝達することにより、感光体ドラム１を画像形成動作に応じて回転駆動させる。帯電ローラ２は、帯電ローラ軸受２８を介し、ドラムカートリッジ９に回転可能に取り付けられており、帯電ローラ加圧部材３３により感光体ドラム１に向かって加圧され、感光体ドラム１に従動回転する。
【００２７】
（現像カートリッジ）
次に現像カートリッジ４について、図５を用いて説明する。図５は現像カートリッジにトナーを収納した現像カートリッジ４（４Ｙ，４Ｍ，４Ｃ，４Ｋ）の断面図である。尚、イエロー色のトナーを収納した現像カートリッジ４Ｙ、マゼンタ色のトナーを収納した現像カートリッジ４Ｍ、シアン色のトナーを収納した現像カートリッジ４Ｃ、ブラック色のトナーを収納した現像カートリッジ４Ｋは同一構成である。
【００２８】
現像カートリッジ４は、現像ローラ２５と、トナー供給ローラ３４と、現像ブレード３５と、トナー搬送部材３６及びこれらを支持する現像枠体３１で構成されている。現像ローラ２５は、感光体ドラム１と接触して矢印Ｂ方向に回転するように構成されている。またトナー供給ローラ３４は、現像ローラ２５に接触して回転するように構成されている。現像ブレード３５は、現像ローラ２５上のトナー層を規制するように構成されている。
【００２９】
現像枠体３１は、現像ローラ２５が配置されている現像室３１ｃと、現像室３１ｃの下方に設けられたトナー収容室３１ａとで構成されており、それぞれの室は隔壁３１ｄによって仕切られている。また、隔壁３１ｄにはトナー収容室３１ａから現像室３１ｃへトナーを搬送する際にトナーが通過する開口３１ｂが設けられている。
【００３０】
現像ローラ２５とトナー供給ローラ３４は、現像ローラ軸線方向両側に現像枠体３１として設けられた図示しない現像前軸受、現像奥軸受を介して、回転自在に支持されている。
【００３１】
またトナー搬送部材３６は、現像枠体３１のトナー収容室３１ａに収納されたトナーを撹拌すると共に、開口部３１ｂを介して現像室３１ｃへトナーを搬送するように構成されている。
【００３２】
（電子写真画像形成装置にカートリッジを挿入する構成）
次に図６を用いて、ドラムカートリッジ９及び現像カートリッジ４を電子写真画像形成装置１００に挿入する構成について説明する。なお本実施形態では、ドラムカートリッジ９（９Ｙ，９Ｍ，９Ｃ，９Ｋ）及び現像カートリッジ４（４Ｙ，４Ｍ，４Ｃ，４Ｋ）を電子写真画像形成装置開口部１０１（１０１ａ，１０１ｂ，１０１ｃ，１０１ｄ）へ挿入する。この構成では、感光体ドラム１（１ａ，１ｂ，１ｃ，１ｄ）の軸線方向と平行な方向（図中矢印Ｆの方向）へ、手前側から奥側に向かってドラムカートリッジ９及び現像カートリッジ４を挿入する構成となっている。本実施例では、ドラムカートリッジ９及び現像カートリッジ４の挿入方向上流側を手前側、下流側を奥側と定義する。
【００３３】
電子写真画像形成装置１００内の上側には、第１の本体ガイド部である本体装着上ガイド部１０５（１０５ａ，１０５ｂ，１０５ｃ，１０５ｄ）が設けられている。また電子写真画像形成装置１００内の下側には第２の本体ガイド部である本体装着下ガイド部１０４（１０４ａ，１０４ｂ，１０４ｃ，１０４ｄ）が設けられている。この本体装着上ガイド部１０５と本体装着下ガイド部１０４は、それぞれドラムカートリッジ９の挿入方向Ｆに沿って伸びたガイド形状となっている。この本体装着下ガイド部１０４の装着方向手前側にドラムカートリッジ９を載せる。そして、挿入方向Ｆの向きにドラムカートリッジ９を本体装着上ガイド部１０５と本体装着下ガイド部１０４とに沿って移動させることによって、電子写真画像形成装置１００への挿入を行う。
【００３４】
また、画像形成装置本体の上側に本体装着上ガイド部１０３（１０３ａ，１０３ｂ，１０３ｃ，１０３ｄ）が、画像形成装置本体の下側には本体装着下ガイド（カートリッジガイド）１０２（１０２ａ，１０２ｂ，１０２ｃ，１０２ｄ）が設けられている。現像カートリッジ４を挿入する場合もドラムカートリッジ９と同様に、まず初めに本体装着下ガイド部１０２の装着方向手前側に現像カートリッジ４を載せる。そして、挿入方向Ｆの向きに現像カートリッジ４を本体装着上ガイド部１０３と本体装着下ガイド部１０２とに沿って移動させることによって、電子写真画像形成装置１００への挿入を行う。
【００３５】
（発明の主要部の説明）
図１において、本実施例の画像形成装置１００と、画像形成装置１００に対して適合し、装着可能な現像カートリッジ４と、を用いて基本的な構成を説明する。また併せて図７を用いて、ストッパー部材１１２（進入規制部材）と可動台（本体側識別部）１１０ａの動きについて、説明を行う。なお、＋Ｙ方向は現像カートリッジ４の挿入方向、つまり画像形成装置の奥側、−Ｙ方向は現像カートリッジ４を取り出す方向、つまり画像形成装置の手前側を示している。また＋Ｘ方向及び−Ｘ方向は、＋Ｙ方向及び−Ｙ方向とで水平面を規定する方向である。加えて＋Ｚ方向は鉛直方向上方、−Ｚ方向は鉛直方向下方へ向かう方向である。
【００３６】
図１及び図７に示すように、現像カートリッジ４には、カートリッジ側識別部として、カートリッジ挿入方向上流側に第１のボス８０、及び第１のボス８０に対してカートリッジ挿入方向下流側に第２のボス８１が設けられている。また画像形成装置１００には、現像カートリッジ４の挿入をガイドする装着下ガイド部１０４、カートリッジ側識別部として可動台１１０ａ、可動台１１０ａを所定の位置（初期位置）へと付勢する付勢バネ１１１が設けられている。また、可動台１１０ａは、第１の挿入ガイド部１２０と第２の挿入ガイド部１２１から構成されており、第１の挿入ガイド部１２０は、現像カートリッジ４の第１のボス８０と係合し、第２の挿入ガイド部１２１は現像カートリッジ４の第２のボス８１と係合する。このように可動台１１０ａは、カートリッジ挿入時に第１及び第２のボス８０、８１と係合することで移動可能とされ、画像形成装置１００に適合する現像カートリッジ４が識別可能とされている。
【００３７】
さらに、図７に示すように、画像形成装置本体１００には、可動台１１０ａの移動に連動して開閉するストッパー部材１１２が設けられおり、可動台１１０ａとストッパー部材１１２は連結部材１１３によって連結されている。具体的には、可動台１１０ａに設けられたボスと、連結部材１１３に設けられた凹部（溝）とが係合した構成とする。これにより、可動台１１０ａの鉛直方向（＋Ｚ方向及び−Ｚ方向）における移動に連動し、現像カートリッジ４の着脱方向（＋Ｙ方向及び−Ｙ方向）へ連結部材１１３を移動させる。そして、連結部材１１３で回転可能とされたストッパー部材１１２は、連結部材１１３によって回転させられる。この結果、装着下ガイド部１０２に突出して現像カートリッジ４の進入を阻止する規制位置から装着下ガイド部１０２から退避して現像カートリッジ４を進入することを許容する退避位置へ移動する。つまり、可動台１１０ａが上方に位置する場合は、ストッパー部材は閉じた状態となり、可動台１１０ａが下方に位置する場合は、ストッパー部材は開いた状態となるように構成される。
【００３８】
次に、画像形成装置１００に対して適合する現像カートリッジ４を挿入したときの、現像カートリッジ４の第１のボス８０および第２のボス８１と画像形成装置１００に設けられた可動台１１０ａ及びストッパー部材１１２との関係について説明する。
【００３９】
図１（ａ）及び図７（ａ）は、画像形成装置本体１００の可動台１１０ａと現像カートリッジ４の第１のボス８０及び第２のボス８１が係合する前の状態を示している。可動台１１０ａは、付勢バネ１１１によって鉛直上方（＋Ｚ方向）に付勢され、初期位置に位置し、それに伴い連結部材１１３は現像カートリッジ４の装着方向上流側（−Ｙ方向）に位置し、ストッパー部材１１２は閉じた状態となっている。ストッパー部材１１２は閉じた状態とされ、現像カートリッジ４は、本体装着下ガイド部１０２に沿って電子写真画像形成装置１００の装着位置への進入が阻止されている。
【００４０】
次に図１（ｂ）及び図７（ｂ）は、可動台１１０ａの第１の挿入ガイド部１２０と第１のボス８０が係合し、可動台１１０ａを押し下げた状態を示している。可動台１１０ａが押し下げられることによって可動台１１０ａは通過可能位置に位置し、第２のボス８１も係合可能な状態となる。また、可動台１１０ａが押し下げられたことに伴い連結部材１１３は現像カートリッジ４の装着方向下流側（＋Ｙ方向）に移動し、ストッパー部材１１２は開いた状態となる。このようにストッパー部材１１２は開いた状態とされ、現像カートリッジ４は、本体装着下ガイド部１０２に沿って電子写真画像形成装置１００に進入可能とされる。
【００４１】
さらに図１（ｃ）及び図７（ｃ）は、可動台１１０ａの第２の挿入ガイド部１２１に第２のボス８１が係合した後、可動台１１０ａと第１のボス８０との係合が解除され、可動台１１０ａを押し下げた位置に維持した状態を示している。この状態において、第２のボス８１はストッパー部材１１２とも係合しており、ストッパー部材１１２は開いた状態を維持している。
【００４２】
最後に図１（ｄ）及び図７（ｄ）は、第１のボス８０及び第２のボス８１が可動台１１０ａとストッパー部材１１２を通過した状態を示している。可動台１１０ａは付勢バネ１１１の付勢力によって、＋Ｚ方向に付勢され、それに伴い連結部材１１３は現像カートリッジ４の装着方向上流側（−Ｙ方向）に移動する。これにより、可動台１１０ａは、付勢バネ１１１によって、鉛直上方に位置し、ストッパー部材１１２は閉じた状態となる。
【００４３】
可動台１１０ａが上方に位置する場合はストッパー部材１１２を閉じた状態、可動台１１０ａが下方に位置する場合はストッパー部材を開いた状態とする。また、画像形成装置１００から適合する現像カートリッジ４を取り出す際における、第１及び第２のボス８０、８１、可動台１１０ａ及びストッパー部材１１２の関係については図１（ａ）〜（ｄ）と逆の順番の動作で行われる。
【００４４】
具体的には、現像カートリッジ４を取り出す際においては、第２のボス８１でストッパー部材１１２の面１１２ａを押し、ストッパー部材１１２を開いた状態にする。つまり、連結部材１１３を現像カートリッジ４の装着方向上流側（−Ｙ方向）に移動させ、連結部材１１３を介してストッパー部材１１２と連動する可動台１１０ａを鉛直下方に位置させ、第２の挿入ガイド部１２１と第２のボス８１を係合可能とする。この時、第２の挿入ガイド部１２１に第２のボス８１が係合するまで、ストッパー部材１１２を開いた状態とし、可動台１１０ａを下がった状態にしておく必要がある。そこで第２のボス８１は、ストッパー部材１１２と可動台１１０ａの両方と係合する長さとなっている。なお、現像カートリッジ４の挿入途中において、第２のボス８１ｃは可動台１１０ａとストッパー部材１１２の両方に係合可能であれば、図８に示す変形例のように分割された形状の第２のボス８１ｃであっても良い。なお変形例に係る第２のボス８１ｃでは、可動台１１０ａに係合する部分と、ストッパー部材１１２に係合する部分と、を有し、現像カートリッジ４の挿入途中におけるあるタイミングにおいて同時に係合可能となる構成とされている。
【００４５】
本実施例では、図７に示すように、第１のボス８０及び第２のボス８１が可動台１１０ａを通過可能とし、現像カートリッジ４はストッパー部材１１２で規制されることなく、画像形成装置１００の装着位置に進入可能とされる。そして、現像カートリッジ４が画像形成装置１００に装着された状態にあっては、可動台１１０ａは鉛直上方に付勢された初期位置に戻るとともに、ストッパー部材１１２は装着下ガイド部１０２に突出して現像カートリッジ４の進入を阻止する規制位置に戻る。したがって、現像カートリッジ４が装着位置に位置する時には、ストッパー部材１１２と現像カートリッジ４が接触しない状態とされている。つまり、可動台１１０ａを付勢する付勢バネ１１１の付勢力が連結部材１１３を介してストッパー部材１１２から現像カートリッジ４に作用しない構成とされている。この結果、ストッパー部材１１２の付勢力が現像カートリッジ４に加わることにより生じる現像カートリッジ４の変形を抑制し、変形に伴う画像弊害を防止することができる。
【００４６】
なお、上記実施例では現像カートリッジ４に作用するストッパー部材１１２を例に挙げ、説明を行った。しかし、これに限らずドラムカートリッジ９の他、他のプロセスカートリッジに適用しても良く、同様の効果を得られる。
【符号の説明】
【００４７】
Ｓ  記録媒体
１（１ａ〜１ｄ）  感光体ドラム
２（２ａ〜２ｄ）  帯電ローラ
４（４ａ〜４ｄ）  現像カートリッジ
６（６ａ〜６ｄ）  クリーニング部材
７  現像ローラ
８  クリーニング支持部材
９  ドラムカートリッジ
２１  スクイシート
２５（２５ａ〜２５ｄ）  現像ローラ
２７  クリーニング枠体
２８  帯電ローラ軸受
３１  現像容器
３３  帯電ローラ加圧部材
３４  トナー供給ローラ
３５（３５ａ〜３５ｄ）  現像ブレード
３６  現像剤攪拌ユニット
３７  第一端部部材
３８  第二端部部材
３９  現像ユニット
８０、８１  ボス
１００  電子写真画像形成装置
１０２（１０２ａ，１０２ｂ，１０２ｃ，１０２ｄ）  本体装着下ガイド部
１０３（１０３ａ，１０３ｂ，１０３ｃ，１０３ｄ）  本体装着上ガイド部
【図１】
2017173421.tif 000003
【図２】
2017173421.tif 000004
【図３】
2017173421.tif 000005
【図４】
2017173421.tif 000006
【図５】
2017173421.tif 000007
【図６】
2017173421.tif 000008
【図７】
2017173421.tif 000009
【図８】
2017173421.tif 000010